(57)【特許請求の範囲】
【請求項１】
コアネットワークはクラスタコールサービスの発言権があるユーザからクラスタコール確立要求メッセージを受信した後、ＭＣＥにクラスタコール確立要求メッセージを送信するステップと、
前記ＭＣＥは前記クラスタコール確立要求メッセージを受信した後、クラスタコール確立要求メッセージを再構成してクラスタコールサービスのユーザの所属関連基地局に送信し、前記クラスタコールサービスのユーザは普通のユーザと発言権があるユーザとを含むステップと、
前記関連基地局の各基地局は前記ＭＣＥが送信したクラスタコール確立要求メッセージに基づいてクラスタコール確立操作を実行し、且つ前記操作が完成した後、前記ＭＣＥにクラスタコール確立応答メッセージを送信するステップと、
前記ＭＣＥは前記関連基地局からの各基地局が応答したクラスタコール確立応答メッセージを受信した後、クラスタコール確立応答メッセージを再構成して前記コアネットワークに送信し、その後、前記コアネットワークが前記再構成したクラスタコール確立応答メッセージに対して応答したクラスタコール指示メッセージに基づいて、クラスタコールスケジューリング指示メッセージを構成して前記関連基地局の各基地局に送信し、前記関連基地局の各基地局にクラスタコールサービスのスケジューリングを通知するステップと、を含むマルチメディアブロードキャストマルチキャストサービス協調エンティティＭＣＥがクラスタコール確立を制御する方法。
【請求項２】
コアネットワークがクラスタコールサービスの発言権があるユーザからクラスタコール確立要求メッセージを受信する前、
クラスタコールサービスのうちの１つのユーザは所属基地局を経由してコアネットワークにクラスタコール確立要求メッセージを送信し、前記ユーザは発言権があるユーザと称することを含む請求項１に記載の方法。
【請求項３】
前記ＭＣＥが前記クラスタコール確立要求メッセージを受信した後、クラスタコール確立要求メッセージを再構成するステップは、
前記ＭＣＥが前記クラスタコール確立要求メッセージのうちのサービス品質Ｑｏｓパラメータに基づいて、前記クラスタコール確立要求を承認するか否かを判定するステップと、
前記クラスタコール確立要求を承認すると、前記クラスタコール確立要求メッセージからクラスタコール情報を得て保存し、その後、クラスタコール確立要求メッセージを再構成するステップと、を含む請求項１に記載の方法。
【請求項４】
前記関連基地局の各基地局がクラスタコール確立操作を実行することは、
前記クラスタコール確立要求メッセージに基づいてクラスタコールサービスのために無線アクセスベアラを確立するステップと、
前記クラスタコール確立要求メッセージおよび前記無線アクセスベアラに基づいてクラスタコールサービスのためにチャネルマッピングを確立するステップと、
前記クラスタコール確立要求メッセージに基づいてクラスタコールサービスのユーザと無線リソース制御プロトコルＲＲＣ接続再設定を行うステップと、
前記クラスタコール確立要求メッセージに基づいてクラスタコールのマルチキャストアドレスに加入するステップと、を含む請求項３に記載の方法。
【請求項５】
前記関連基地局の各基地局が前記クラスタコール確立要求メッセージに基づいてクラスタコールサービスのために無線アクセスベアラを確立することは、
前記クラスタコールサービスの発言権があるユーザの所属基地局がアップリンクＳ１−Ｕベアラとアップリンク無線ベアラを確立するステップと、
前記クラスタコールサービスの普通のユーザの所属基地局がクラスタコールダウンリンク共有リンクＭ１ベアラとダウンリンク無線ベアラを確立し、前記クラスタコールサービスの普通のユーザと発言権があるユーザが同一の基地局にある場合に、該基地局がクラスタコールダウンリンク共有リンクＭ１ベアラとダウンリンク無線ベアラをさらに確立するステップと、を含む請求項４に記載の方法。
【請求項６】
前記関連基地局の各基地局が前記クラスタコール確立要求メッセージに基づいてクラスタコールサービスのユーザとＲＲＣ接続再設定を行うことは、
前記クラスタコールサービスのユーザに無線リソース制御プロトコルＲＲＣ接続再設定要求を送信するステップと、
前記クラスタコールサービスのユーザが前記ＲＲＣ接続再設定要求を受信し、前記ユーザが発言権があるユーザであると、アップリンク共有チャネルＵＬ−ＳＣＨを設定し、前記ユーザがクラスタコールサービスの普通のユーザであると、ダウンリンクマルチキャストサービスチャネルＭＴＣＨを設定するステップと、
前記ユーザがチャネル設定を完成した後、所属基地局にＲＲＣ接続再設定完成メッセージを送信するステップと、を含む請求項４に記載の方法。
【請求項７】
前記ＭＣＥがクラスタコールスケジューリング指示メッセージを構成することは、
前記ＭＣＥが前記クラスタコール指示メッセージおよび保存したクラスタコール情報に基づいてクラスタコールスケジューリング指示メッセージを構成することである請求項３−６のいずれかに記載の方法。
【請求項８】
クラスタコールサービスの発言権があるユーザからクラスタコール確立要求メッセージを受信した後、ＭＣＥにクラスタコール確立要求メッセージを送信するように設置されるコアネットワークと、
前記クラスタコール確立要求メッセージを受信した後、クラスタコール確立要求メッセージを再構成してクラスタコールサービスのユーザの所属関連基地局に送信し、且つ前記関連基地局の各基地局が応答したクラスタコール確立応答メッセージを受信した後、クラスタコール確立応答メッセージを再構成して前記コアネットワークに送信し、その後、前記コアネットワークが前記再構成したクラスタコール確立応答メッセージに対して応答したクラスタコール指示メッセージに基づいて、クラスタコールスケジューリング指示メッセージを構成して前記関連基地局の各基地局に送信し、前記関連基地局の各基地局にクラスタコールサービスのスケジューリングを通知し、前記クラスタコールサービスのユーザは普通のユーザと発言権があるユーザとを含むように設置されるＭＣＥと、
前記ＭＣＥが送信したクラスタコール確立要求メッセージに基づいてクラスタコール確立操作を実行し、且つ前記操作が完成した後、前記ＭＣＥにクラスタコール確立応答メッセージを送信するように設置される１つ又は複数の基地局と、を備えるマルチメディアブロードキャストマルチキャストサービス協調エンティティＭＣＥがクラスタコール確立を制御するシステム。
【請求項９】
前記ＭＣＥはさらに、前記クラスタコール確立要求メッセージのうちのサービス品質Ｑｏｓパラメータに基づいて前記クラスタコール確立要求を承認するか否かを判定し、承認すると、前記クラスタコール確立要求メッセージに基づいてクラスタコール情報を保存し、且つクラスタコール確立要求メッセージを再構成するように設置される請求項８に記載のシステム。
【請求項１０】
前記基地局はさらに、前記クラスタコール確立要求メッセージに基づいてクラスタコールサービスのために無線アクセスベアラを確立し、前記クラスタコール確立要求メッセージおよび前記無線アクセスベアラに基づいてクラスタコールサービスのためにチャネルマッピングを確立し、前記クラスタコール確立要求メッセージに基づいてクラスタコールのユーザとＲＲＣ接続再設定を行い、前記クラスタコール確立要求メッセージに基づいてクラスタコールサービスのマルチキャストアドレスに加入するように設置される請求項８に記載のシステム。
【請求項１１】
コアネットワークからクラスタコール確立要求メッセージを受信した後、クラスタコール確立要求メッセージを再構成してクラスタコールサービスのユーザの所属関連基地局に送信し、且つ前記関連基地局の各基地局が応答したクラスタコール確立応答メッセージを受信した後、クラスタコール確立応答メッセージを再構成してコアネットワークに送信し、その後、前記コアネットワークが前記再構成したクラスタコール確立応答メッセージに対して応答したクラスタコール指示メッセージに基づいて、クラスタコールスケジューリング指示メッセージを構成して前記関連基地局の各基地局に送信し、前記関連基地局の各基地局にクラスタコールサービスのスケジューリングを通知し、前記クラスタコールサービスのユーザは普通のユーザと発言権があるユーザとを含むように設置されるマルチメディアブロードキャストマルチキャストサービス協調エンティティＭＣＥ。
【請求項１２】
前記ＭＣＥはさらに、前記クラスタコール確立要求メッセージのうちのサービス品質Ｑｏｓパラメータに基づいて前記クラスタコール確立要求を承認するか否かを判定し、承認すると、前記クラスタコール確立要求メッセージに基づいてクラスタコール情報を保存し、且つクラスタコール確立要求メッセージを再構成するように設置される請求項１１に記載のＭＣＥ。
【発明の詳細な説明】
【技術分野】
【０００１】
本発明は無線通信分野に関し、特にｅＭＢＭＳ（Ｅｖｏｌｖｅｄ  Ｍｕｌｔｉｍｅｄｉａ  Ｂｒｏａｄｃａｓｔ  Ｍｕｌｔｉｃａｓｔ  Ｓｅｒｖｉｃｅ、発展型マルチメディアブロードキャストマルチキャストサービス）に基づくＴＤ−ＬＴＥ（ＴＤ−ＳＣＤＭＡ  Ｌｏｎｇ  Ｔｅｒｍ  Ｅｖｏｌｕｔｉｏｎ、時分割同期符号分割多元接続のロングタームエボリューション）広帯域デジタルクラスタシステムのセッション制御方法およびシステムに関する。
【背景技術】
【０００２】
ＥＭＢＭＳは次世代の無線アクセスネットワークＬＴＥのブロードキャスト技術であり、ネットワークにおけるすべてのユーザ又はある一部のユーザグループに高速なマルチメディアデータサービスを同時に送信する。ＥＭＢＭＳは既存の３Ｇネットワーク、又はＬＴＥ無線アクセスネットワークにおける１つのブロードキャストシステムを含む。ＥＭＢＭＳ  はＲ６が導入したＭＢＭＳ（Ｂｒｏａｄｃａｓｔ  Ｍｕｌｔｉｃａｓｔ  Ｓｅｒｖｉｃｅ、マルチメディアブロードキャストマルチキャストサービス）システムのアップグレードである。Ｒ６のＭＢＭＳとの相違点について、ＭＢＭＳは３ＧシステムにＢＭ−ＳＣ（Ｂｒｏａｄｃａｓｔ  Ｍｕｌｔｉｃａｓｔ  Ｓｅｒｖｉｃｅ  Ｃｅｎｔｅｒ、ブロードキャストマルチキャストサービスセンター）を追加し、且つ既存のネットワークエンティティにＭＢＭＳ機能を追加することによってＭＢＭＳサービスを提供する。それに対して、ＥＭＢＭＳは完全なロジックアーキテクチャを提供し、コアネットワークにおいて定義されるＭＢＭＳロジックエンティティ、アクセスネットワークにおいて定義されるＭＣＥ（Ｍｕｌｔｉ−ｃｅｌｌ／Ｍｕｌｔｉｃａｓｔ  Ｃｏｏｒｄｉｎａｔｉｏｎ  Ｅｎｔｉｔｙ、ＭＢＭＳ協調エンティティ）、および関連する制御プレーン、ユーザプレーンインターフェースを含む。ＥＭＢＭＳのような完全で、独立したロジックアーキテクチャは、ＭＢＭＳの各部分の機能を柔軟に設定することを容易にし、ＭＢＭＳのリソース最適化および性能向上に寄与する。
【０００３】
クラスタ通信システムは業界ユーザの指示スケジューリング序用ニーズを満たすために開発され、特定の業界用途に向ける専用無線通信システムであり、システムにおいて、多くの無線ユーザが少ない無線チャネルを共有し、指示スケジューリングを主用途とし、多用途、高効率の無線通信システムである。クラスタ通信システムは政府機関、公共安全、緊急通信、電力、民間航空、石油化学工業や軍隊などの分野に幅広く適用される。
【０００４】
従来、関連する標準、プロトコルには、ｅＭＢＭＳに基づくＴＤ−ＬＴＥ広帯域デジタルクラスタシステムにおいてＭＣＥが如何にクラスタセッション確立を制御する方法および流れは具体的に説明されていない。
【発明の概要】
【発明が解決しようとする課題】
【０００５】
本発明は、ｅＭＢＭＳに基づくＴＤ−ＬＴＥ広帯域デジタルクラスタシステムにおいてＭＣＥがクラスタセッション確立を制御する課題をさらによく解決することができるＭＣＥがクラスタセッション確立を制御する方法およびシステムを提供することを目的とする。
【課題を解決するための手段】
【０００６】
本発明の一局面によれば、ＭＣＥがクラスタセッション確立を制御する方法を提供し、
コアネットワークはクラスタコール確立要求メッセージを受信した後、協調エンティティＭＣＥにクラスタセッション確立要求メッセージを送信するステップと、
前記ＭＣＥは前記クラスタセッション確立要求メッセージを受信した後、クラスタセッション確立要求メッセージを再構成して関連基地局に送信するステップと、
前記関連基地局は前記ＭＣＥが送信したクラスタセッション確立要求メッセージに基づいてクラスタセッション確立操作を実行し、且つ前記操作が完成した後、前記ＭＣＥにクラスタセッション確立応答メッセージを送信するステップと、
前記ＭＣＥは前記クラスタセッション確立応答メッセージを受信した後、クラスタセッション確立応答メッセージを再構成して前記コアネットワークに送信し、その後、前記コアネットワークのこの応答に対するクラスタセッション指示メッセージに基づいて、クラスタセッションスケジューリング指示メッセージを構成して前記関連基地局に送信し、前記関連基地局にクラスタセッションサービスのスケジューリングを通知するステップと、を含む。
【０００７】
好ましくは、コアネットワークがクラスタコール確立要求メッセージを受信する前、
クラスタサービスセッショングループのうちのあるユーザは基地局を経由してコアネットワークにクラスタコール確立要求メッセージを送信することを含む。
【０００８】
好ましくは、前記ＭＣＥが前記クラスタセッション確立要求メッセージを受信した後、クラスタセッション確立要求メッセージを再構成するステップは、
前記ＭＣＥが前記クラスタセッション確立要求メッセージのうちのサービス品質Ｑｏｓパラメータに基づいて、前記クラスタセッション確立要求を承認するか否かを判定するステップと、
前記ＭＣＥが前記クラスタセッション確立要求を承認すると、前記クラスタセッション確立要求メッセージからクラスタセッション情報を得て保存し、その後、クラスタセッション確立要求メッセージを再構成するステップと、を含む。
【０００９】
好ましくは、前記関連基地局がクラスタセッション確立操作を実行することは、
前記関連基地局が前記クラスタセッション確立メッセージに基づいてクラスタセッションに無線アクセスベアラを確立するステップと、
前記関連基地局が前記クラスタセッション確立メッセージおよび前記無線アクセスベアラに基づいてクラスタセッションにチャネルマッピングを確立するステップと、
前記関連基地局が前記クラスタセッション確立メッセージに基づいてクラスタセッションのユーザと無線リソース制御プロトコルＲＲＣ接続再設定を行うステップと、
前記関連基地局が前記クラスタセッション確立メッセージに基づいてクラスタセッションのマルチキャストアドレスに加入するステップと、を含む。
【００１０】
好ましくは、前記基地局が前記クラスタセッション確立メッセージに基づいてクラスタセッションに無線アクセスベアラを確立することは、
クラスタセッション発言権があるユーザの所属基地局がアップリンクＳ１−Ｕベアラとアップリンク無線ベアラを確立するステップと、
クラスタセッションサービスグループユーザの所属基地局がクラスタセッションダウンリンク共有リンクＭ１ベアラとダウンリンク無線ベアラを確立するステップと、を含む。
【００１１】
好ましくは、前記関連基地局が前記クラスタセッション確立メッセージに基づいてユーザとＲＲＣ接続再設定を行うことは、
前記関連基地局が前記ユーザに無線リソース制御プロトコルＲＲＣ接続再設定要求を送信するステップと、
前記ユーザが前記ＲＲＣ接続再設定要求を受信した後、前記ユーザが発言権があるユーザであると、アップリンク共有チャネルＵＬ−ＳＣＨを設定し、前記ユーザがクラスタセッションサービスグループユーザであると、ダウンリンクマルチキャストサービスチャネルＭＴＣＨを設定するステップと、
前記ユーザがチャネル設定を完成した後、前記関連基地局にＲＲＣ接続再設定完成メッセージを送信するステップと、を含む。
【００１２】
好ましくは、前記ＭＣＥがクラスタセッションスケジューリング指示メッセージを構成することは、
前記ＭＣＥが前記クラスタセッション指示メッセージおよび保存したクラスタセッション情報に基づいてクラスタセッションスケジューリング指示メッセージを構成することを含む。
【００１３】
本発明の別の一局面によれば、ＭＣＥがクラスタセッション確立を制御するシステムを提供し、
クラスタコール確立要求メッセージを受信した後、協調エンティティＭＣＥにクラスタセッション確立要求メッセージを送信するように設置されるコアネットワークと、
前記クラスタセッション確立要求メッセージを受信した後、クラスタセッション確立要求メッセージを再構成して関連基地局に送信し、且つ前記関連基地局が応答したクラスタセッション確立応答メッセージを受信した後、クラスタセッション確立応答メッセージを再構成して前記コアネットワークに送信し、その後、前記コアネットワークのこの応答に対するクラスタセッション指示メッセージに基づいてクラスタセッションスケジューリング指示メッセージを構成して前記関連基地局に送信し、前記関連基地局にクラスタセッションサービスのスケジューリングを通知するように設置されるＭＣＥと、
前記ＭＣＥが送信したクラスタセッション確立要求メッセージに基づいてクラスタセッション確立操作を実行し、且つ前記操作が完成した後、前記ＭＣＥにクラスタセッション確立応答メッセージを送信するように設置される基地局と、を備える。
【００１４】
好ましくは、前記ＭＣＥはさらに、前記クラスタセッション確立要求メッセージのうちのサービス品質Ｑｏｓパラメータに基づいて前記クラスタセッション確立要求を承認するか否かを判定し、承認すると、前記クラスタセッション確立要求メッセージに基づいてクラスタセッション情報を保存し、且つクラスタセッション確立要求メッセージを再構成するように設置される。
【００１５】
好ましくは、前記関連基地局はさらに、前記クラスタセッション確立メッセージに基づいてクラスタセッションに無線アクセスベアラを確立し、前記クラスタセッション確立メッセージおよび前記無線アクセスベアラに基づいてクラスタセッションにチャネルマッピングを確立し、前記クラスタセッション確立メッセージに基づいてクラスタセッションのユーザとＲＲＣ接続再設定を行い、前記クラスタセッション確立メッセージに基づいてクラスタセッションのマルチキャストアドレスに加入するように設置される。
【００１６】
ＭＣＥであって、クラスタセッション確立要求メッセージを受信した後、クラスタセッション確立要求メッセージを再構成して関連基地局に送信し、且つ前記関連基地局が応答したクラスタセッション確立応答メッセージを受信した後、クラスタセッション確立応答メッセージを再構成してコアネットワークに送信し、その後、前記コアネットワークのこの応答に対するクラスタセッション指示メッセージに基づいてクラスタセッションスケジューリング指示メッセージを構成して前記関連基地局に送信し、前記関連基地局にクラスタセッションサービスのスケジューリングを通知するように設置される。
【００１７】
好ましくは、前記ＭＣＥはさらに、前記クラスタセッション確立要求メッセージのうちのサービス品質Ｑｏｓパラメータに基づいて前記クラスタセッション確立要求を承認するか否かを判定し、承認すると、前記クラスタセッション確立要求メッセージに基づいてクラスタセッション情報を保存し、且つクラスタセッション確立要求メッセージを再構成するように設置される。
【発明の効果】
【００１８】
本発明の実施例の有益な効果は、ｅＭＢＭＳに基づくＴＤ−ＬＴＥ広帯域デジタルクラスタシステムにおいてＭＣＥがクラスタセッションを制御する具体的な方法を明らかにすることにある。
【図面の簡単な説明】
【００１９】
【図１】図１は本発明の実施例に係るｅＭＢＭＳに基づくＴＤ−ＬＴＥ広帯域デジタルクラスタシステムにおいてＭＣＥがクラスタセッションを制御する方法の原理図である。
【図２】図２は本発明の実施例に係るｅＭＢＭＳに基づくＴＤ−ＬＴＥ広帯域デジタルクラスタシステムにおいてＭＣＥがクラスタセッションを制御する方法のフローチャートである。
【図３】図３は本発明の実施例に係るｅＭＢＭＳに基づくＴＤ−ＬＴＥ広帯域デジタルクラスタシステムのチャネルマップである。
【図４】図４は本発明の実施例に係るｅＭＢＭＳに基づくＴＤ−ＬＴＥ広帯域デジタルクラスタシステムにおいてＭＣＥがクラスタセッションを制御するシステムのネットワークアーキテクチャ図である。
【発明を実施するための形態】
【００２０】
以下、図面を参照しながら、本発明の好ましい実施例を詳細に説明し、ただし、以下に説明する好ましい実施例は本発明を説明、解釈するためのものであるが、本発明を制限するものではない。
【００２１】
図１は本発明の実施例に係るｅＭＢＭＳに基づくＴＤ−ＬＴＥ広帯域デジタルクラスタシステムにおいてＭＣＥがクラスタセッションを制御する方法の原理図であり、図１に示されるように、前記方法は、
Ｓ１０１、コアネットワークがクラスタコール確立要求メッセージを受信した後、協調エンティティＭＣＥにクラスタセッション確立要求メッセージを送信するステップと、
Ｓ１０２、前記ＭＣＥが前記クラスタセッション確立要求メッセージを受信した後、クラスタセッション確立要求メッセージを再構成して関連基地局に送信するステップと、
Ｓ１０３、前記関連基地局が前記ＭＣＥの送信したクラスタセッション確立要求メッセージに基づいてクラスタセッション確立操作を実行し、且つ前記操作が完成した後、前記ＭＣＥにクラスタセッション確立応答メッセージを送信するステップと、
Ｓ１０４、前記ＭＣＥが前記クラスタセッション確立応答メッセージを受信した後、クラスタセッション確立応答メッセージを再構成して前記コアネットワークに送信し、その後、前記コアネットワークのこの応答に対するクラスタセッション指示メッセージに基づいてクラスタセッションスケジューリング指示メッセージを構成して前記関連基地局に送信し、前記関連基地局にクラスタセッションサービスのスケジューリングを通知するステップと、を含む。
【００２２】
図２は本発明の実施例に係るｅＭＢＭＳに基づくＴＤ−ＬＴＥ広帯域デジタルクラスタシステムにおいてＭＣＥがクラスタセッションを制御する方法の具体的なフローチャートである。
【００２３】
図２の前記方法の説明に合わせて、以下、該方法に関連するメッセージに対して、具体的な実現形態を提供し、それはこのセッション制御方法の実現可能性を論証するためのものであり、具体的なメッセージ実現はこの形態に限定されない。
【００２４】
３ＧＰＰ  ＴＳ  ２４．３０１  Ｖ１０．３．０プロトコルにより定義されたＮＡＳ（Ｎｏｎ  Ａｃｃｅｓｓ  Ｓｔｒａｔｕｍ、非アクセス層）シグナルＰＤＮ（Ｐａｃｋｅｔ  Ｄａｔａ  Ｎｅｔｗｏｒｋ、パケットデータネットワーク）接続要求のうちの要求タイプを拡張し、「クラスタコール確立要求」というタイプを追加する。下記の表に示す。
【００２５】
0005911586.tif 000002
【００２６】
３ＧＰＰ  ＴＳ  ３６．４４４  Ｖ１０．２．０プロトコルによると、コアネットワークＭＭＥ（Ｍｏｂｉｌｉｔｙ  Ｍａｎａｇｅｍｅｎｔ  Ｅｎｔｉｔｙ、移動性管理エンティティ）とＭＣＥのＭ３シグナルインターフェース同士は多くとも２５６個の異なるメッセージをサポートすることができ、従来、ＭＢＭＳシステムは約２０個未満しか利用せず、Ｍ３シグナルインターフェース同士にはクラスタセッションに関連する「クラスタセッション確立要求」、「クラスタセッション確立応答」および「クラスタセッション指示」のメッセージを拡張し、「クラスタセッション確立要求」メッセージは主として下記の情報を含む。
【００２７】
Ｍｅｓｓａｇｅ  Ｔｙｐｅ：メッセージタイプが「クラスタセッション確立要求」である。
ＭＭＥ  ＭＢＭＳ  Ｍ３ＡＰ  ＩＤ：ＭＭＥ側Ｍ３インターフェースＭ３ＡＰ（Ｍ３  Ａｐｐｌｉｃａｔｉｏｎ  Ｐｒｏｔｏｃｏｌ、Ｍ３アプリケーションプロトコル）エンティティの識別子ＩＤ
ＭＣＥ  ＭＢＭＳ  Ｍ３ＡＰ  ＩＤ：ＭＣＥ側Ｍ３インターフェースＭ３ＡＰエンティティの識別子ＩＤ
ＴＭＧＩ：クラスタセッションサービスグループＩＤ
ＭＢＭＳ  Ｓｅｓｓｉｏｎ  Ｉｄｅｎｔｉｔｙ：クラスタセッションｍｐ識別子ＩＤ
ＭＢＭＳ  Ｓｅｓｓｉｏｎ  Ｄｕｒａｔｉｏｎ：クラスタセッションの持続時間
ＭＢＭＳ  Ｓｅｒｖｉｃｅ  Ａｒｅａ：クラスタセッション領域、すなわちどれらのｅＮｏｄｅＢ（Ｅｖｏｌｖｅｄ  Ｎｏｄｅ  Ｂ、改良型基地局）およびどれらのセルを含む。
ＩＰ  Ｍｕｌｔｉｃａｓｔ  Ａｄｄｒｅｓｓ：クラスタセッションダウンリンクサービスのマルチキャストアドレス
ＩＰ  Ｓｏｕｒｃｅ  Ａｄｄｒｅｓｓ：クラスタセッションダウンリンクサービスのソースアドレス
Ｅ−ＲＡＢ  ｔｏ  ｂｅ  Ｓｅｔｕｐ  Ｌｉｓｔ：無線アクセスベアラ確立リストであって、クラスタセッションに関連するアップリンクＳ１−ＵベアラおよびダウンリンクＭ１ベアラの関連ＱｏＳ（Ｑｕａｌｉｔｙ  ｏｆ  Ｓｅｒｖｉｃｅ、サービス品質）パラメータ、ベアラＩＤなどの情報を含む。
【００２８】
「クラスタセッション確立応答」メッセージは主として下記の情報を含む。
Ｍｅｓｓａｇｅ  Ｔｙｐｅ：メッセージタイプが「クラスタセッション確立応答」である。
ＭＭＥ  ＭＢＭＳ  Ｍ３ＡＰ  ＩＤ：ＭＭＥ側Ｍ３インターフェースＭ３ＡＰエンティティの識別子ＩＤ
ＭＣＥ  ＭＢＭＳ  Ｍ３ＡＰ  ＩＤ：ＭＣＥ側Ｍ３インターフェースＭ３ＡＰエンティティの識別子ＩＤ
Ｓｔａｔｕｓ：応答結果、すなわち「成功」又は「拒否」など
【００２９】
「クラスタセッション指示」メッセージは主として下記の情報を含む。
Ｍｅｓｓａｇｅ  Ｔｙｐｅ：メッセージタイプが「クラスタセッション指示」である。
ＭＭＥ  ＭＢＭＳ  Ｍ３ＡＰ  ＩＤ：ＭＭＥ側Ｍ３インターフェースＭ３ＡＰエンティティの識別子ＩＤ
ＭＣＥ  ＭＢＭＳ  Ｍ３ＡＰ  ＩＤ：ＭＣＥ側Ｍ３インターフェースＭ３ＡＰエンティティの識別子ＩＤ
ＭＢＭＳ  Ｓｅｓｓｉｏｎ  Ｉｄｅｎｔｉｔｙ：クラスタセッションの識別子ＩＤ
Ｍｉｎｉｍｕｍ  Ｔｉｍｅ  ｔｏ  ＭＢＭＳ  Ｄａｔａ  Ｔｒａｎｓｆｅｒ：クラスタセッションサービス伝送の基準時点。
【００３０】
３ＧＰＰ  ＴＳ  ３６．４４３  Ｖ１０．２．０プロトコルによると、ＭＣＥとｅＮｏｄｅＢとの間のＭ２シグナルインターフェースは多くとも２５６個の異なるメッセージをサポートすることができ、従来、ＭＢＭＳシステムは約２０個未満しか利用せず、Ｍ２シグナルインターフェース同士にクラスタセッションに関連する「クラスタセッション確立要求」および「クラスタセッション確立応答」のメッセージを拡張し、「クラスタセッション確立要求」メッセージは主として下記の情報を含む。
【００３１】
Ｍｅｓｓａｇｅ  Ｔｙｐｅ：メッセージタイプが「クラスタセッション確立要求」である。
ＭＣＥ  ＭＢＭＳ  Ｍ２ＡＰ  ＩＤ：ＭＣＥ側Ｍ２インターフェースＭ２ＡＰ（Ｍ２  Ａｐｐｌｉｃａｔｉｏｎ  Ｐｒｏｔｏｃｏｌ、Ｍ２アプリケーションプロトコル）エンティティの識別子ＩＤ
ｅＮＢ  ＭＢＭＳ  Ｍ２ＡＰ  ＩＤ：ｅＮＢ側Ｍ２インターフェースＭ２ＡＰエンティティの識別子ＩＤ
ＴＭＧＩ：クラスタセッションサービスグループＩＤ
ＭＢＭＳ  Ｓｅｓｓｉｏｎ  Ｉｄｅｎｔｉｔｙ：クラスタセッションの識別子ＩＤ
ＭＢＭＳ  Ｓｅｒｖｉｃｅ  Ａｒｅａ：クラスタセッションサービス領域、すなわち、どれらのｅＮｏｄｅＢおよびどれらのセルを含む。
ＩＰ  Ｍｕｌｔｉｃａｓｔ  Ａｄｄｒｅｓｓ：クラスタセッションダウンリンクサービスのマルチキャストアドレス
ＩＰ  Ｓｏｕｒｃｅ  Ａｄｄｒｅｓｓ：クラスタセッションダウンリンクサービスのソースアドレス
Ｅ−ＲＡＢ  ｔｏ  ｂｅ  Ｓｅｔｕｐ  Ｌｉｓｔ：無線アクセスベアラ確立リストであって、クラスタセッションに関連するアップリンクＳ１−ＵベアラおよびダウンリンクＭ１ベアラの関連ＱｏＳパラメータ、ベアラＩＤなどの情報を含む。
【００３２】
「クラスタセッション確立応答」メッセージは主として下記の情報を含む。
Ｍｅｓｓａｇｅ  Ｔｙｐｅ：メッセージタイプが「クラスタセッション確立応答」である。
ＭＣＥ  ＭＢＭＳ  Ｍ２ＡＰ  ＩＤ：ＭＣＥ側Ｍ２インターフェースＭ２ＡＰエンティティの識別子ＩＤ
ｅＮＢ  ＭＢＭＳ  Ｍ２ＡＰ  ＩＤ：ｅＮＢ側Ｍ２インターフェースＭ２ＡＰエンティティの識別子ＩＤ
Ｓｔａｔｕｓ：応答結果、すなわち「成功」又は「拒否」など
【００３３】
図２に示されるように、前記方法は具体的には下記通りである。
【００３４】
ステップＳ２０１において、ＵＥはＥ−ＮｏｄｅＢでアタッチし、且つＲＲＣ接続確立を完成する。
【００３５】
ＵＥがアイドルモードである場合、ＵＥのＮＡＳがシグナル接続確立を要求すると、ＵＥはＲＲＣ接続確立要求を送信する。ＲＮＣ(Ｒａｄｉｏ  Ｎｅｔｗｏｒｋ  Ｃｏｎｔｒｏｌｌｅｒ、無線ネットワークコントローラ)はＵＥのＲＲＣ接続要求メッセージを受信した後、特定のアルゴリズムによって該ＲＲＣ接続確立要求を受信するか拒否するかを確定する。受信すると、さらに特定の無線リソースアルゴリズムによって専用チャネルそれとも共通チャネルに確立するかを判定する。ＲＲＣ接続確立のチャネルによって、ＲＲＣ接続確立の流れが異なる。ＲＲＣ接続確立が不能であると、ＲＮＣは今回のＲＲＣ接続確立を拒否する。ＲＲＣ接続確立の流れは従来の技術であるので、ここで重複説明を省略する。
【００３６】
ステップＳ２０２において、クラスタサービスセッショングループのうちの発言権があるユーザがクラスタコール確立要求を送信する。
【００３７】
発言権があるユーザは定義したＮＡＳメッセージである「クラスタコール確立要求」をＵＵポートをｅＮｏｄｅＢに送信し、ｅＮｏｄｅＢがさらにＳ１シグナルポートによってコアネットワークに送信する。ユーザはＵＥ（Ｕｓｅｒ  ｅｑｕｉｐｍｅｎｔ、ユーザ装置）、無線ディスパッチャ、無線車載局又は有線ディスパッチャであってもよい。発言権があるユーザがコアネットワークにクラスタサービスコール確立要求を送信すると、該要求メッセージにタイプがクラスタサービスコール要求である識別子は含まれる。
【００３８】
ステップＳ２０３において、コアネットワークはクラスタコール確立要求を受信した後、ＭＣＥにクラスタセッション確立要求を送信する。
【００３９】
コアネットワークがクラスタコール確立要求を受信した後、Ｍ３インターフェースからＭＣＥにクラスタセッション確立要求を送信する。該要求メッセージにはクラスタセッションサービスグループＩＤ、クラスタセッションの識別子ＩＤ、クラスタセッションの持続時間、クラスタセッション領域、クラスタセッションダウンリンクサービスのマルチキャストアドレス、クラスタセッションダウンリンクサービスのソースアドレス、およびクラスタセッションに関連するアップリンクＳ１−ＵベアラとダウンリンクＭ１ベアラの関連ＱｏＳパラメータ、ベアラＩＤなどの情報が含まれる。
【００４０】
ステップＳ２０４において、ＭＣＥはｅＮｏｄｅＢにクラスタセッション確立要求を送信する。
【００４１】
ＭＣＥはクラスタセッション確立要求を受信した後、クラスタセッションに関連するＱｏＳパラメータに基づいて承認するか否かを判定し、本実施例において、承認が成功であり、ＭＣＥはクラスタセッション確立要求に基づいてクラスタセッション情報を保存し、Ｍ２インターフェースの「クラスタセッション確立要求」メッセージを再構成し、且つ再構成した「クラスタセッション確立要求」メッセージをクラスタセッション領域、すなわち「ＭＢＭＳ  Ｓｅｒｖｉｃｅ  Ａｒｅａ」の指示した関連ｅＮｏｄｅＢに送信し、関連ｅＮｏｄｅＢに無線側リソースマッピングおよびベアラ確立などを行うことを通知する。
【００４２】
前記クラスタセッション要求メッセージはクラスタセッションサービスグループＩＤ、クラスタセッションの識別子ＩＤ、クラスタセッション領域、クラスタセッションダウンリンクサービスのマルチキャストアドレス、クラスタセッションダウンリンクサービスのソースアドレス、クラスタセッションに関連するアップリンクＳ１−ＵベアラとダウンリンクＭ１ベアラの関連ＱｏＳパラメータ、ベアラＩＤなどの情報などを含む。
【００４３】
ステップＳ２０５において、ｅＮｏｄｅＢはＭＣＥが送信したクラスタセッション確立要求を受信した後、クラスタセッションに無線アクセスベアラ（Ｅ−ＲＡＢ）を確立する。
【００４４】
ｅＮｏｄｅＢはＭＣＥが受信したクラスタセッション確立要求を受信した後、クラスタサービスＱｏＳパラメータおよび伝送ベアラ情報を含むクラスタセッションに関連するアップ、ダウンリンクベアラ情報（「Ｅ−ＲＡＢ  ｔｏ  ｂｅ  Ｓｅｔｕｐ  Ｌｉｓｔ」）に基づいて、クラスタセッションにクラスタセッションのアップリンクＳ１−ＵベアラおよびダウンリンクＭ１ベアラを含む無線アクセスベアラを確立する。前記無線アクセスベアラの確立は、クラスタセッション発言権があるユーザの所属ｅＮｏｄｅＢのアップリンクＳ１−Ｕベアラとアップリンク無線ベアラ、およびクラスタセッションサービスグループユーザの所属ｅＮｏｄｅＢのダウンリンク共有リンクＭ１ベアラとダウンリンク無線ベアラを含む。
【００４５】
ステップＳ２０６において、ｅＮｏｄｅＢはチャネルマッピングを確立する。
【００４６】
ｅＮｏｄｅＢは無線アクセスベアラを確立した後、さらにクラスタセッションサービスグループＩＤ、クラスタセッションの識別子ＩＤを組み合わせてｅＮｏｄｅＢ側関連無線チャネルマッピングを完成し、図３に示されるように、ダウンリンクＭＣＣＨ（Ｍｕｌｔｉｃａｓｔ  Ｃｏｎｔｒｏｌ  Ｃｈａｎｎｅｌ、マルチキャスト制御チャネル）、ＭＴＣＨ（Ｍｕｌｔｉｃａｓｔ  Ｃｏｎｔｒｏｌ  Ｃｈａｎｎｅｌ、マルチキャスト制御チャネル）がＭＣＨ（Ｍｕｌｔｉｃａｓｔ  Ｃｈａｎｎｅｌ、マルチキャストチャネル）にマッピングし、さらにＭＣＨからＰＭＣＨ（Ｐｈｙｓｉｃａｌ  Ｍｕｌｔｉｃａｓｔ  Ｃｈａｎｎｅｌ、物理マルチキャストチャネル）にマッピングすること、およびアップリンクＤＣＣＨ（Ｄｅｄｉｃａｔｅｄ  Ｃｏｎｔｒｏｌ  Ｃｈａｎｎｅｌ、専用制御チャネル）、ＤＴＣＨ（Ｄｅｄｉｃａｔｅｄ  Ｔｒａｆｆｉｃ  Ｃｈａｎｎｅｌ、専用サービスチャネル）がＵＬ−ＳＣＨ（Ｕｐｌｉｎｋ  Ｓｈａｒｅｄ  Ｃｈａｎｎｅｌ、アップリンク共有チャネル）にマッピングし、さらにＵＬ−ＳＣＨからＰＵＳＣＨ（Ｐｈｙｓｉｃａｌ  Ｕｐｌｉｎｋ  Ｓｈａｒｅｄ  Ｃｈａｎｎｅｌ、  物理アップリンク共有チャネル）にマッピングすることを含む。
【００４７】
ステップＳ２０７において、ｅＮｏｄｅＢはユーザにＲＲＣ接続再設定要求を送信する。
【００４８】
ステップＳ２０８において、ユーザはｅＮｏｄｅＢにＲＲＣ接続再設定が完成することを通知する。
【００４９】
ＲＲＣ接続再設定を受信したユーザは発言権があるユーザであると、ＵＬ−ＳＣＨ（Ｕｐｌｉｎｋ  Ｓｈａｒｅｄ  Ｃｈａｎｎｅｌ、アップリンク共有チャネル）を設定し、クラスタセッションサービスグループユーザであると、ダウンリンクＭＴＣＨ（Ｍｕｌｔｉｃａｓｔ  Ｔｒａｆｆｉｃ  Ｃｈａｎｎｅｌ、マルチキャストサービスチャネル）を設定する。ユーザはチャネルを設定した後、ｅＮｏｄｅＢにＲＲＣ接続再設定完成応答を送信する。
【００５０】
ステップＳ２０９において、ｅＮｏｄｅＢはクラスタセッションのマルチキャストアドレスに加入する。
【００５１】
ｅＮｏｄｅＢはクラスタセッションダウンリンクサービスのマルチキャストアドレス、すなわち「ＩＰ  Ｍｕｌｔｉｃａｓｔ  Ａｄｄｒｅｓｓ」、およびクラスタセッションダウンリンクサービスのソースアドレス、すなわち「ＩＰ  Ｓｏｕｒｃｅ  Ａｄｄｒｅｓｓ」に基づいてクラスタセッションのマルチキャストアドレスに加入する。
【００５２】
ステップＳ２１０において、ｅＮｏｄｅＢはＭＣＥに「クラスタセッション確立応答」メッセージを送信する。
【００５３】
発言権があるユーザの所属ｅＮｏｄｅＢはＭＣＥに「クラスタセッション確立応答」メッセージを送信する。
【００５４】
ステップＳ２１１において、ＭＣＥはコアネットワークに「クラスタセッション確立応答」メッセージを送信する。
【００５５】
ステップＳ２１２において、コアネットワークはＭＣＥに「クラスタセッション指示」メッセージを送信する。
【００５６】
コアネットワークはＭＣＥにクラスタセッションの開始基準時点情報を含むクラスタセッション指示を送信する。
【００５７】
ステップＳ２１３において、ＭＣＥはｅＮｏｄｅＢに「クラスタセッションスケジューリング指示」メッセージを送信する。
【００５８】
ＭＣＥはステップＳ２０４で保存したクラスタセッション情報および前記クラスタセッションの開始基準時点情報に基づいて、ｅＮｏｄｅＢにクラスタセッションスケジューリング指示を送信する。
【００５９】
ステップＳ２１４において、ｅＮｏｄｅＢは「クラスタセッションスケジューリング指示」に基づいて、クラスタセッションサービスのスケジューリングを開始する。
【００６０】
ｅＮｏｄｅＢはＭＣＥが送信したクラスタセッションスケジューリング指示に基づいて、ＭＣＣＨで発言権があるユーザおよびクラスタセッションサービスグループユーザに、クラスタセッションサービスのスケジューリングを開始することを通知する。
【００６１】
図４は本発明の実施例によるｅＭＢＭＳに基づくＴＤ−ＬＴＥ広帯域デジタルクラスタシステムにおいてＭＣＥがクラスタセッションを制御するシステムのネットワークアーキテクチャ図であり、図４に示されるように、前記システムは、ＵＥ、ｅＮｏｄｅＢ、ＳＧＷ（Ｓｅｒｖｉｎｇ  Ｇａｔｅｗａｙ  、サービスゲートウェイ）、ＭＣＥ、ＭＭＥ、ＨＳＳ（Ｈｏｍｅ  Ｓｕｂｓｃｒｉｂｅｒ  Ｓｅｒｖｅｒ、ホーム加入者サーバ）、ＢＭ−ＳＣ（Ｂｒｏａｄｃａｓｔ  Ｍｕｌｔｉｃａｓｔ  Ｓｅｒｖｉｃｅ  Ｃｅｎｔｅｒ、ブロードキャストマルチキャストサービスセンター）、ＭＢＭＳ−ＧＷ（ＭＢＭＳ  ＧａｔｅＷａｙ、ＭＢＭＳゲートウェイ）、ＰＤＮゲートウェイ、およびクラスタＡＰＰを備える。ＭＭＥ、ＳＧＷおよびＰＤＮゲートウェイからコアネットワークが構成される。
【００６２】
本実施例において、ＢＭ−ＳＣはインターフェースＳＧｍｂおよびＳＧｉｍｂによってＭＢＭＳ−ＧＷに接続され、ＳＧｍｂは制御プレーンインターフェースであり、ＳＧｉｍｂはＭＢＭＳデータを伝送することに用いられる。ＰＤＮゲートウェイはＳ５、ＳＧｉインターフェースによってそれぞれＳＧＷ、ＢＭ−ＳＣに接続されるとともに、ＰＤＮゲートウェイはクラスタＡＰＰに接続される。ＨＳＳはインターフェースＳ６ａによってＭＭＥに接続される。ＭＭＥはインターフェースＳ１１、Ｓ１−ＭＭＥ  、Ｍ３、ＳｍによってそれぞれＳＧＷ、ｅＮｏｄｅＢ、ＭＣＥ、ＭＢＭＳ−ＧＷに接続される。ｅＮｏｄｅＢはＳ１−Ｕ、Ｍ２、Ｍ１、ＵｕインターフェースによってＳＧＷ、ＭＣＥ、ＭＢＭＳ−ＧＷ、ＵＥに接続される。
【００６３】
コアネットワークは、クラスタコール確立要求メッセージを受信した後、協調エンティティＭＣＥにクラスタセッション確立要求メッセージを送信することに用いられる。
【００６４】
ＭＣＥは、前記クラスタセッション確立要求メッセージを受信した後、クラスタセッション確立要求メッセージを再構成して関連基地局に送信し、且つ前記関連基地局が応答したクラスタセッション確立応答メッセージを受信した後、クラスタセッション確立応答メッセージを再構成して前記コアネットワークに送信し、その後、前記コアネットワークのこの応答に対するクラスタセッション指示メッセージに基づいてクラスタセッションスケジューリング指示メッセージを構成して前記関連基地局に送信し、前記関連基地局にクラスタセッションサービスのスケジューリングを通知することに用いられる。前記ＭＣＥはさらに、前記クラスタセッション確立要求メッセージのうちのサービス品質Ｑｏｓパラメータに基づいて前記クラスタセッション確立要求を承認するか否かを判定し、承認すると、前記クラスタセッション確立要求メッセージに基づいてクラスタセッション情報を保存し、且つクラスタセッション確立要求メッセージを再構成することに用いられる。
【００６５】
基地局ｅＮｏｄｅＢは、前記ＭＣＥが送信したクラスタセッション確立要求メッセージに基づいてクラスタセッション確立操作を実行し、且つ前記操作が完成した後、前記ＭＣＥにクラスタセッション確立応答メッセージを送信することに用いられる。前記関連基地局はさらに、前記クラスタセッション確立メッセージに基づいてクラスタセッションに無線アクセスベアラを確立し、前記クラスタセッション確立メッセージおよび前記無線アクセスベアラに基づいてクラスタセッションにチャネルマッピングを確立し、前記クラスタセッション確立メッセージに基づいてクラスタセッションのユーザとＲＲＣ接続再設定を行い、前記クラスタセッション確立メッセージに基づいてクラスタセッションのマルチキャストアドレスに加入することに用いられる。
【００６６】
本実施例において、コアネットワーク、ＭＣＥ、ｅＮｏｄｅＢ以外の構成部分はいずれも従来の技術であるので、ここで重複説明を省略する。
【００６７】
上記のように、本発明はｅＭＢＭＳに基づくＴＤ−ＬＴＥ広帯域デジタルクラスタシステムにおいてＭＣＥがクラスタセッションを制御する具体的な方法を明らかにし、ｅＭＢＭＳに基づくＴＤ−ＬＴＥ広帯域デジタルクラスタシステムにおいてＭＣＥがクラスタセッション確立を制御する課題をさらによく解決する。
【００６８】
以上、本発明を詳細に説明したが、本発明はそれらに限定されるものではなく、当業者は本発明の原理に基づいて各種の修正を行うことができる。従って、本発明に基づく修正のすべては、本発明の保護範囲に属すると理解すべきである。
【産業上の利用可能性】
【００６９】
本発明の実施例の有益な効果は、ｅＭＢＭＳに基づくＴＤ−ＬＴＥ広帯域デジタルクラスタシステムにおいてＭＣＥがクラスタセッションを制御する具体的な方法を明らかにすることにある。
【図１】
0005911586.tif 000003
【図２】
0005911586.tif 000004
【図３】
0005911586.tif 000005
【図４】
0005911586.tif 000006